(57)【要約】【課題】一番安定性のあるセンターに重心を掛けられる杖では、手を放す時に寄り掛ける所を探し選ばなければならないことが課題だったのである。【解決手段】上記課題を解決するために、杖の先端部に三角スプリングを設けた杖にしたものである。【選択図】図１
2007136122.tif 000002
【特許請求の範囲】
【請求項１】
杖の先端部に、三角スプリングを設けた杖。
【請求項２】
杖の先端部に、ねじ込み部を施し、そのねじ込み部をたどり廻しながら上下動させるねじ込みスタンドを設けた杖。
【請求項３】
杖の先端部に、ステッキ足の付いたスライドゴム部を設け、スライドゴム部を下に下げるとステッキ足が開くようにした杖。
【請求項４】
杖の先端部に、タッチレバーを押すとタッチレバーに引っ掛かっていたスライドスタンドがスライドクッションにより下に降りるようにしたものを設けた杖。
【請求項５】
杖の先端部に、受スプリングにより柔軟に動くようにしたステッキ足を設けた杖。
【請求項６】
これまでの杖の先端部に付けるもので、受スプリングにより柔軟に動くようにしたステッキ足が付いていて、この中を従来の杖を通し杖当と固定ネジで固定して使用する杖のオプション。
【請求項７】
杖の先端部に、クッションにより自由に動くようにした、ステッキ足が付いているステッキ足受を設けた杖。
【請求項８】
これまでの杖の先端部に付けるもので、杖当と固定ネジがある本体の杖当受には、クッションにより自由に動くようにした、ステッキ足が付いているステッキ足受を設けたもので、この中を従来の杖を通し杖当と固定ネジで固定して使用する杖のオプション。
【請求項９】
これまでの杖の先端部に付けるもので、杖当と固定ネジがある本体の杖当受には三角スプリングがあり、この中を従来の杖を通し杖当と固定ネジで固定して使用する杖のオプション。
【請求項１０】
これまでの杖の先端部に付けるもので、杖当と固定ネジがある本体の杖当受には、ねじ込み部を施し、そのねじ込み部をたどり廻しながら上下動させるねじ込みスタンドがあり、この中を従来の杖を通し杖当と固定ネジで固定して使用する杖のオプション。
【請求項１１】
これまでの杖の先端部に付けるもので、杖当と固定ネジがある本体の杖当受には、杖足シリンダーの中にシリンダークッションを入れ自由に上下動するシリンダー杖足があり、この中を従来の杖を通し杖当と固定ネジで固定して使用する杖のオプション。
【請求項１２】
これまでの杖の先端部に付けるもので、杖当と固定ネジがある本体の杖当受にはゴム杖足があり、この中を従来の杖を通し杖当と固定ネジで固定して使用する杖のオプション。
【発明の詳細な説明】
【技術分野】
【０００１】  本発明は、歩行等の補助具として使用されている杖に関する。
【背景技術】
【０００２】  従来の杖で、これまでの一番安定性のあるセンターに重心を掛けられるものでありながらそのまま手を放しても倒れない杖はなかったのである。
【発明の開示】
【発明が解決しようとする課題】
【０００３】  一番安定性のあるセンターに重心を掛けられる杖では、手を放す時には寄り掛ける所を探し選ばなければならないことが課題だったのである。【０００４】  本発明は、上述のように杖を寄り掛ける所を探し選ばなければならなかった課題を解決しようとするものであり、どこで手を放しても倒れないようにすることを目的とするものである。
【課題を解決するための手段】
【０００５】  本発明は、上記目的を達成するために、その代表的なものとして、杖の先端部に三角スプリングを設けた杖にしたものである。
【発明の効果】
【０００６】  本発明は、杖で一番安定性のあるセンターに重心を掛けられるものでありながら、手を放す時に、これまで寄り掛ける所を探し選んでいたことがなくなったのである。気安く扱え、便利で手短になったのである。
【発明を実施するための最良の形態】
【０００７】  以下、本発明の実施の形態を図１〜図１２に基づいて説明する。【０００８】  図１においては、▲１▼ステッキ１と三角スプリング２とショック受３と三角スプリングａで構成されている。【０００９】  図２においては、▲２▼ステッキ５とねじ込みスタンド６とねじ込み部ｂで構成されている。【００１０】  図３においては、▲３▼ステッキ７とスライドゴム部８と▲３▼ステッキ足９と引き上げ安定部ｄと引き上げ位置ｅとスライド受部ｆで構成されている。【００１１】  図４においては、▲４▼ステッキ１０とスライドスタンド１１と受１２とクッション１３とタッチレバー１４とレバースプリング１５とクッション受１６とスライドピン１７で構成されている。【００１２】  図５においては、▲５▼ステッキ１８と▲５▼ステッキ足１９と受スプリング２０で構成されている。【００１３】  図６においては、▲５▼ステッキ足１９と受スプリング２０と杖当２１と杖当受２２と固定ネジ２３で構成されている。【００１４】  図７においては、▲６▼ステッキ２４と▲６▼ステッキ足２５とクッション２６とステッキ足受２７で構成されている。【００１５】  図８においては、杖当２１と固定ネジ２３と▲６▼ステッキ足２５とクッション２６とステッキ足受２７で構成されている。【００１６】  図９においては、ショック受３と杖当２１と固定ネジ２３と杖当受２９と三角スプリング３０と三角スプリングａで構成されている。【００１７】  図１０においては、受１２と杖当２１と固定ネジ２３と杖当受３１とねじ込みスタンド３２で構成されている。【００１８】  図１１においては、杖当２１と固定ネジ２３と杖当受３３と杖足シリンダー３４としりんだー杖足３５とシリンダークッション３６と従来の杖ｇで構成されている。【００１９】  図１２においては、杖当２１と固定ネジ２３と杖当受３７とゴム杖足３８と従来の杖ｇで構成されている。【００２０】  以下、課題と目的を達成するための解決手段、本発明の、どこで手を放しても倒れない杖、そして杖を使用してみて一番安定するセンターに重心の杖、を変えないでの色々な実施例である上記構成の動作を説明する。
図１においては、▲１▼ステッキ１の先端部の三角スプリング安定部ａに三角スプリング２を付け、その地面側には耐ショックで交換可のショック受が付いているのである。これにより、センターに重心を変えずにしかも交換可のショック受もあり実に実用的である。又、必要とあらばカバー４も取り付け可である。【００２１】  図２においては、▲２▼ステッキ５の先端部にねじ込み部ｂがあり、そしてそれをたどり廻しながら上下動させるねじ込みスタンドがある。ねじ込み上げ位置ｃに上げたり降ろしたりしながらしようするものである。【００２２】  図３においては、▲３▼ステッキ７の先端部に引き上げ安定部ｄがあり、そしてその位置に合わせ上げては納まり、下げてはスライド受部ｆを通りながら広がり安定する▲３▼ステッキ足を持つスライドゴム部８があるものである。【００２３】  図４においては、▲４▼ステッキ１０の先端部にレバースプリング１５の付くタッチレバー１４と受１２の付くスライドスタンド１１があり、スライドスタンド１１を持ち上げると、クッション受１６とスライドピン１７の間にあるスライドクッション１３を圧縮しながらタッチレバー１４に引っ掛かりそのタッチレバー１４を押すとタッチレバーから外れスライドスタンド１１が下に降りるのである．【００２４】  図５においては、▲５▼ステッキ１８の先端部に受スプリング２０の付く▲５▼ステッキ足１９があり、▲５▼ステッキ足１９の動きは受スプリング２０によりコントロールされているのである．【００２５】  図６においては、従来の杖ｇに、杖当受２２に付く杖当２１と固定ネジ２３で固定して使用するものである。杖当受２２には受スプリング２０の付く▲５▼ステッキ足１９があり、▲５▼ステッキ足１９の動きは受スプリング２０によりコントロールされているのである。【００２６】  図７においては、▲６▼ステッキ２４の先端部にクッション２６でつながる▲６▼ステッキ足２５の付くステッキ足受２７がある。その▲６▼ステッキ足２５の動きはクッション２６によりコントロールされているのである。【００２７】  図８においては、従来の杖ｇに、杖当受２８に付く杖当２１と固定ネジ２３で固定して使用するものである。その杖当受２８にはクッション２６でつながる▲６▼ステッキ足２５の付くステッキ足受２７があり、▲６▼ステッキ足２５の動きはクッション２６によりコントロールされているのである。【００２８】  図９においては、従来の杖ｇに、杖当受２９に付く杖当２１と固定ネジ２３で固定して使用するものである。その杖当受２９には三角スプリング３０が三角スプリング安定部ａで固定されていて、その地面側には交換可のショック受３が付いている。ショック受３と三角スプリング３０によりこれまでの杖にはないより安定的で利用し易いステッキが出来るものである。【００２９】  図１０においては、従来の杖ｇに、杖当受３１に付く杖当２１と固定ネジ２３で固定して使用するものである。その杖当受３１にはねじ込み部ｂあり、そしてそれをたどり廻しながら上下動させる受１２が付くねじ込みスタンド３２があるものである。【００３０】  図１１においては、杖の先端部にも付けられるものでもあり、従来の杖にも付けられるようにも出来るもので���ある。ここでは従来の杖に付けられるものとして説明する。従来の杖ｇに、杖当受３３に付く杖当２１と固定ネジ２３で固定して使用するものである。その杖当受３３には杖足シリンダー３４とシリンダー杖足３５とシリンダークッション３６からなる杖足があり、その動きはシリンダーによりコントロールされているのである。【００３１】  図１２においては、杖の先端部にも付けられるものでもあり、従来の杖にも付けられるようにも出来るものでもある。ここでは従来の杖に付けられるものとして説明する。従来の杖ｇに、杖当受３７に付く杖当２１と固定ネジ２３で固定して使用するものである。その杖当受３７には材質ゴムのゴム杖足があり、その動きはゴム特性のもので安心して活用出来るものである。
以上の通りでる。上述のように安定的で便利な実用的なもので利用者には待たれるものである。
【図面の簡単な説明】
【００３２】
【図１】    この発明の第１実施例の略図
【図２】    この発明の第２実施例の略図
【図３】    この発明の第３実施例の略図
【図４】    この発明の第４実施例の略図
【図５】    この発明の第５実施例の略図
【図６】    この発明の第６実施例の略図
【図７】    この発明の第７実施例の略図
【図８】    この発明の第８実施例の略図
【図９】    この発明の第９実施例の略図
【図１０】    この発明の第１０実施例の略図
【図１１】    この発明の第１１実施例の略図
【図１２】    この発明の第１２実施例の略図
【符号の説明】
１    ▲１▼ステッキ
２    三角スプリング
３    ショック受
４    カバー
５    ▲２▼ステッキ
６    ねじ込みスタンド
７    ▲３▼ステッキ
８    スライドゴム部
９    ▲３▼ステッキ足
１０    ▲４▼ステッキ
１１    スライドスタンド
１２    受
１３    スライドクッション
１４    タッチレバー
１５    レバースプリング
１６    クッション受
１７    スライドピン
１８    ▲５▼ステッキ
１９    ▲５▼ステッキ足
２０    受スプリング
２１    杖当
２２    杖当受
２３    固定ネジ
２４    ▲６▼ステッキ
２５    ▲６▼ステッキ足
２６    クッション
２７    ステッキ足受
２８    杖当受
２９    杖当受
３０    三角スプリング
３１    杖当受
３２    ねじ込みスタンド
３３    杖当受
３４    杖足シリンダー
３５    シリンダー杖足
３６    シリンダークッション
３７    杖当受
３８    ゴム杖足
ａ    三角スプリング安定部
ｂ    ねじ込み部
ｃ    ねじ上げ位置
ｄ    引き上げ安定部
ｅ    引き上げ位置
ｆ    スライド受部
ｇ    従来の杖
【図１】
2007136122.tif 000003
【図２】
2007136122.tif 000004
【図３】
2007136122.tif 000005
【図４】
2007136122.tif 000006
【図５】
2007136122.tif 000007
【図６】
2007136122.tif 000008
【図７】
2007136122.tif 000009
【図８】
2007136122.tif 000010
【図９】
2007136122.tif 000011
【図１０】
2007136122.tif 000012
【図１１】
2007136122.tif 000013
【図１２】
2007136122.tif 000014